(57)【要約】  【課題】  投射ランプを交換した場合等に、交換後の投射ランプのホワイトバランスを調整する必要があるが、容易ではなく、煩雑であった。  【解決手段】  投射ランプ７が交換されたことをランプ交換センサ７Ｓが検出した場合、または所定の操作入力があった場合に、投射ランプ７からの出射光をホワイトバランス調整用パターン出力回路１３が出力するホワイトバランス調整用の画像を表わす変調光に投射デバイス８で変換させ、これを投射レンズ５から投射して光センサ１４で検出し、この検出結果に基づいてドライバ回路４が画像データのＲ，Ｇ，Ｂ各色別のゲインを補正することにより、ホワイトバランスを調整する。【選択図】        図１
2006140839.tif 000002
【特許請求の範囲】
【請求項１】
画像投射用のランプと、該ランプからの出射光を画像データに応じた画像を表わす変調光に変換する空間光変調手段と、該空間光変調手段が変調した変調光により形成される光学像を投射する投射レンズと、前記空間光変調手段に与えられる画像データのホワイトバランスを所定の状態に調整するホワイトバランス調整手段とを備えたプロジェクタにおいて、
前記ランプからの出射光をホワイトバランス調整用の画像を表わす変調光に変換させる画像データを前記空間光変調手段に与えるホワイトバランス調整用画像データ出力手段と、
前記空間光変調手段が前記ランプからの出射光を前記ホワイトバランス調整用の画像を表わす変調光に変換している場合に、前記投射レンズから投射される変調光の色調を検出する色調検出手段と、
該色調検出手段の検出結果に基づいて、前記ホワイトバランス調整手段が画像データのホワイトバランスを前記所定の状態に調整するように設定するホワイトバランス設定手段と
を備えたことを特徴とするプロジェクタ。
【請求項２】
前記ランプが交換されたことを検出するランプ交換検出手段を更に備え、該ランプ交換検出手段が前記ランプが交換されたことを検出した場合に、
前記ホワイトバランス調整用画像データ出力手段が、前記ランプからの出射光をホワイトバランス調整用の画像を表わす変調光に変換させる画像データを前記空間光変調手段に与え、
前記色調検出手段が、前記投射レンズから投射される変調光の色調を検出し、
前記ホワイトバランス設定手段が、前記色調検出手段の検出結果に基づいて、前記ホワイトバランス調整手段が画像データのホワイトバランスを前記所定の状態に調整するように構成されていること
を特徴とする請求項１に記載のプロジェクタ。
【請求項３】
操作入力を受け付ける受付手段を更に備え、該受付手段が所定の操作入力を受け付けた場合に、
前記ホワイトバランス調整用画像データ出力手段が、前記ランプからの出射光をホワイトバランス調整用の画像を表わす変調光に変換させる画像データを前記空間光変調手段に与え、
前記色調検出手段が、前記投射レンズから投射される変調光の色調を検出し、
前記ホワイトバランス設定手段が、前記色調検出手段の検出結果に基づいて、前記ホワイトバランス調整手段が画像データのホワイトバランスを前記所定の状態に調整するように構成されていること
を特徴とする請求項１に記載のプロジェクタ。
【請求項４】
前記投射レンズの出射側を外部から遮光する遮光手段を更に備え、
前記色調検出手段は、前記遮光手段の前記投射レンズ側に備えられていることを特徴とする請求項１乃至３のいずれか一つに記載のプロジェクタ。
【発明の詳細な説明】
【技術分野】
【０００１】
本発明はプロジェクタに関し、より具体的には個々の画像投射用のランプ（以下、投射ランプという）の特性に応じて投射画像の色調、たとえばホワイトバランス、個々の色の色度等が変化しないように調整可能なプロジェクタに関し、特に投射ランプが交換された場合に上述のような調整が可能なプロジェクタに関する。
【背景技術】
【０００２】
プレゼンテーション又は映像の映写の分野では、パーソナルコンピュータ又は種々の映像再生装置から入力された画像データに基づいた画像を外部のスクリーン等へ投射して表示するプロジェクタが用いられている。このようなプロジェクタは、空間光変調手段、具体的には液晶パネル又はＤＭＤ（Digital Micromirror Device）等に画像データを与えることにより、内部の光源（投射ランプ）からの光を画像データに基づいて変調した画像を表わす変調光を生成し、生成された変調光を投射レンズ系を通じて外部のスクリーン等へ投射するように構成されている。
【０００３】
ところで、上述のようなプロジェクタでは画像を投射するための投射ランプが重要な部品として装備されている。しかしこのような投射ランプは基本的には通常の電球と同様にいわゆる球切れ状態になることは避けられない。従って、他のたとえばＤＭＤ又は液晶パネル等の空間光変調デバイス，投射レンズ等が半永久的に使用可能であってよほどのことが無い限りは交換の必要が生じないのに対して、投射ランプに関しては比較的頻繁に交換する必要があり、消耗品扱いされているのが実情である。このため、工場出荷時に装備されていた投射ランプの特性に合わせて投射画像のホワイトバランスが調整されてはいるが、投射ランプを交換する都度、ホワイトバランスが変化するという問題があった。
【０００４】
また、プロジェクタ用の投射ランプも通常の電球と同様に、経時的に特性、たとえば照度等が変化することは避けられず、この経時的な特性の変化に伴って投射画像のホワイトバランスも変化せざるを得ない。
【０００５】
従来、プロジェクタの投射ランプを交換した場合には専門のサービスマンが専用の調整機器を使用してその都度、ホワイトバランスの調整を行なっていた。ところで、プロジェクタではないが、特殊な光源を使用する撮像装置（撮影装置）に関して、以下のような特許文献１及び２等に開示されている発明が知られている。
【０００６】
特許文献１に開示されている発明は、顕微鏡用の撮像装置の発明であり、顕微鏡の光源が交換された場合にホワイトバランスを再調整して撮像装置で撮像可能にするための発明である。また特許文献２に開示されている発明は、眼科撮影装置の発明であり、いわゆるストロボ管が交換された場合にホワイトバランスの再調整を促す警告を表示する発明であり、自動的にホワイトバランスを調整することは行なっていない。
【特許文献１】特開平０６−２９２２０８号公報
【特許文献２】特開２００１−２７５９８４号公報
【発明の開示】
【発明が解決しようとする課題】
【０００７】
しかし、上述の特許文献１及び２に開示されている発明ではいずれも、撮像装置（撮影装置）により撮像（撮影）された画像のホワイトバランスを適切にすることを目的としており、特に引用文献１に開示されている発明では光源の色バランスを直接検出し、この検出された色バランスに基づいて撮像装置側での各色別のゲインを設定する構成が採られている。このため、特許文献１に開示されている発明では、撮像装置側において適切なホワイトバランスが必ずしも設定されているとは限らない。
【０００８】
本発明は以上のような事情に鑑みてなされたものであり、実際に投射されている画像のホワイトバランスを適切な状態に自動的に調整することが可能なプロジェクタの提供を主たる目的とする。
【０００９】
また本発明は、特に投射ランプを交換した場合に、交換後の投射ランプにより実際に投射されている画像のホワイトバランスを適切な状態に自動的に調整することが可能なプロジェクタの提供を目的とする。
【００１０】
更に本発明は、ユーザが望む任意の時点で実際に投射されている画像のホワイトバランスを適切な状態に自動的に調整することが可能なプロジェクタの提供を目的とする。
【００１１】
また更に本発明は、上記の目的を達成するために、外部の光線の影響を完全に排除可能なプロジェクタの提供を目的とする。
【課題を解決するための手段】
【００１２】
本発明は端的には、投射ランプが交換された場合、またはユーザからの指示が有った場合に、投射レンズから実際に投射されるホワイトバランス調整用の画像の色調を投射レンズの出射側で検出し、その結果に基づいて画像データの各色別のゲインを調整することによりホワイトバランスの調整を行なう構成を採っている。
【００１３】
本発明に係るプロジェクタは、画像投射用のランプと、該ランプからの出射光を画像データに応じた画像を表わす変調光に変換する空間光変調手段と、該空間光変調手段が変調した変調光により形成される光学像を投射する投射レンズと、前記空間光変調手段に与えられる画像データのホワイトバランスを所定の状態に調整するホワイトバランス調整手段とを備えたプロジェクタにおいて、前記ランプからの出射光をホワイトバランス調整用の画像を表わす変調光に変換させる画像データを前記空間光変調手段に与えるホワイトバランス調整用画像データ出力手段と、前記空間光変調手段が前記ランプからの出射光を前記ホワイトバランス調整用の画像を表わす変調光に変換している場合に、前記投射レンズから投射される変調光の色調を検出する色調検出手段と、該色調検出手段の検出結果に基づいて、前記ホワイトバランス調整手段が画像データのホワイトバランスを前記所定の状態に調整するように設定するホワイトバランス設定手段とを備えたことを特徴とする。
【００１４】
このような本発明のプロジェクタでは、ホワイトバランス調整用画像データ出力手段が出力した画像データによってランプからの出射光がホワイトバランス調整用の画像を表わす変調光に変換されて投射レンズから投射され、この投射光の色調が色調検出手段によって検出され、この結果に基づいてホワイトバランス調整手段が画像データのホワイトバランスを所定の状態に調整するように設定される。
【００１５】
また本発明に係るプロジェクタは上記の発明において、前記ランプが交換されたことを検出するランプ交換検出手段を更に備え、該ランプ交換検出手段が前記ランプが交換されたことを検出した場合に、前記ホワイトバランス調整用画像データ出力手段が、前記ランプからの出射光をホワイトバランス調整用の画像を表わす変調光に変換させる画像データを前記空間光変調手段に与え、前記色調検出手段が、前記投射レンズから投射される変調光の色調を検出し、前記ホワイトバランス設定手段が、前記色調検出手段の検出結果に基づいて、前記ホワイトバランス調整手段が画像データのホワイトバランスを前記所定の状態に調整するように構成されていることを特徴とする。
【００１６】
このような本発明に係るプロジェクタでは上記の発明において、ランプ交換検出手段がランプの交換を検出した場合に、ホワイトバランス調整用画像データ出力手段が出力した画像データによってランプからの出射光がホワイトバランス調整用の画像を表わす変調光に変換されて投射レンズから投射され、この投射光の色調が色調検出手段によって検出され、この結果に基づいてホワイトバランス調整手段が画像データのホワイトバランスを所定の状態に調整するように設定される。
【００１７】
更に本発明に係るプロジェクタは前記の発明において、操作入力を受け付ける受付手段を更に備え、該受付手段が所定の操作入力を受け付けた場合に、前記ホワイトバランス調整用画像データ出力手段が、前記ランプからの出射光をホワイトバランス調整用の画像を表わす変調光に変換させる画像データを前記空間光変調手段に与え、前記色調検出手段が、前記投射レンズから投射される変調光の色調を検出し、前記ホワイトバランス設定手段が、前記色調検出手段の検出結果に基づいて、前記ホワイトバランス調整手段が画像データのホワイトバランスを前記所定の状態に調整するように構成されていることを特徴とする。
【００１８】
このような本発明に係るプロジェクタでは上記の発明において、受付手段が所定の操作入力を受け付けた場合に、ホワイトバランス調整用画像データ出力手段が出力した画像データによってランプからの出射光がホワイトバランス調整用の画像を表わす変調光に変換されて投射レンズから投射され、この投射光の色調が色調検出手段によって検出され、この結果に基づいてホワイトバランス調整手段が画像データのホワイトバランスを所定の状態に調整するように設定される。
【００１９】
また更に本発明に係るプロジェクタは上記の各発明のいずれかにおいて、前記投射レンズの出射側を外部から遮光する遮光手段を更に備え、前記色調検出手段は、前記遮光手段の前記投射レンズ側に備えられていることを特徴とする。
【００２０】
このような本発明に係るプロジェクタでは上記の各発明のいずれかにおいて、投射レンズの出射側が遮光手段によって外部から遮光されており、この遮光手段の投射レンズ側に色調検出手段が備えられているので、色調検出手段が外部からのノイズ的な光を検出することがない。
【発明の効果】
【００２１】
以上のような本発明のプロジェクタによれば、ホワイトバランス調整用画像データ出力手段が出力した画像データに基づいて、投射ランプの特性によって異なるホワイトバランスを所定の状態に自動的に調整することが可能になる。
【００２２】
また本発明に係るプロジェクタによれば上記の発明において、投射ランプを交換した場合に、交換後の投射ランプの特性に合わせてホワイトバランスを所定の状態に自動的に調整することが可能になる。
【００２３】
更に本発明に係るプロジェクタによれば上記の発明において、ユーザが望む任意の時点において、その時点の投射ランプの特性に合わせてホワイトバランスを所定の状態に自動的に調整することが可能になる。
【００２４】
また更に本発明に係るプロジェクタによれば上記の各発明のいずれかにおいて、投射レンズの出射側が遮光手段によって外部から遮光されているので、外部からのノイズ的な光の影響を全く受けることなしに上記の各発明の効果を達成することが可能になる。
【発明を実施するための最良の形態】
【００２５】
以下、本発明をその実施の形態を示す図面を参照して具体的に説明する。図１は本発明に係るプロジェクタの一実施の形態の内部構成例を示すブロック図である。なお、図１に示されている本発明のプロジェクタは外部のスクリーン等へ画像を投射するいわゆるフロント投射方式にも、スクリーンの背面から投射するリア投射方式にも適用可能である。
【００２６】
プロジェクタ１は、外部のアンテナ２Ａに接続されたチューナ２により受信される映像信号（より具体的にはＴＶ信号）を信号処理回路３で処理してドライバ回路４で各色別のゲイン調整を行なうことにより、その時点で使用されている投射ランプ７の特性に応じてホワイトバランスが調整される。このようにしてドライバ回路４で調整された映像信号は投射デバイス８へ与えられる。なお、チューナ２以外にも、映像信号を出力する種々の装置、たとえばビデオテープデッキ、ＤＶＤプレーヤ、ハードディスクレコーダ、ビデオカメラ等から出力される映像信号を信号処理回路３へ入力することも勿論可能である。
【００２７】
投射デバイス８は画像信号を光変調する空間光変調素子を備えており、この空間光変調素子がドライバ回路４から与えられる画像データに応じた状態になる。このような投射デバイス８の空間光変調素子へ投射ランプ７からの光が投射されると空間光変調素子によって空間光変調され、画像データに対応した変調光が投射レンズ５を通じて外部へ投射され、図示しないスクリーン上に画像が表示される。なお、光変調素子としては液晶パネル、ＤＭＤ（Digital Micromirror Device）等が利用可能である。
【００２８】
電源回路６は図示しない外部の商用電源のコンセントとケーブル６Ｃ及びプラグ６Ｐにより接続した場合に後述するシステムコントロール部１０への電源供給を行ない、また後述する操作部１２に備えられているメインスイッチがオンされた場合にこのプロジェクタの各部への給電を行なう。従って、電源回路６のプラグ６Ｐが商用電源に接続されている場合には少なくともシステムコントロール部１０へは給電され、更にメインスイッチがオンされるとプロジェクタ１全体に給電され、この状態においてメインスイッチがオフされるとシステムコントロール部１０のみへ給電される。勿論、電源回路６が商用電源から遮断された場合、具体的には商用電源のコンセントからプラグ６Ｐが抜かれた場合にはシステムコントロール部１０への給電も遮断される。
【００２９】
システムコントロール部１０はＲＯＭ１０ａ，ＲＡＭ１０ｂ等を内蔵したＭＰＵであって制御手段として機能する。ＲＯＭ１０ａには後述する処理を実行するための制御プログラム及び定数等が予め記憶されており、ＲＡＭ１０ｂはシステムコントロール部１０による制御プログラムの実行中に発生する種々のデータを一時的に記憶するために使用される。
【００３０】
操作部１２には前述したメインスイッチの他にも、種々のキー、ボタン等が配置されており、ユーザによるプロジェクタ１の操作の指示を受け付ける手段であり、たとえば投射画像の大きさの調整、色調調整、ピント調整、キーストン調整等が行なえる。この操作部１２が受け付けた指示はシステムコントロール部１０に与えられる。なお、図示しないが、操作部１２と同様の種々のキー、ボタン等が配置されたリモートコントロール装置を利用してこのプロジェクタ１を操作することも勿論可能である。
【００３１】
ところで、投射レンズ５の出射側、具体的にはプロジェクタ１の外部に面している側は遮光手段として機能するシャッタ１５がシャッタ駆動回路１１によって駆動されることにより、投射レンズ５の出射側を完全に閉鎖して外部から遮光する状態と、完全に開放する状態とのいずれかの状態をとることが可能に構成されている。またこのシャッタ１５の内側、即ち投射レンズ５に面する側には投射レンズ５から出射される変調光の色調を検出する色調検出手段としての光センサ１４が備えられている。従って、シャッタ１５が投射レンズ５の出射側を閉鎖した状態では光センサが投射レンズ５から投射される投射光を受光する状態になる。
【００３２】
なお、シャッタ駆動回路１１はシステムコントロール部１０からの制御信号によりシャッタ１５を駆動して閉位置（投射レンズ５の出射側を閉鎖する位置）と開位置（投射レンズ５の出射側を開放する位置）とのいずれかに位置させる。このシャッタ１４の開位置をホームポジションという。また、光センサ１４による検出結果はシャッタ駆動回路１１を介してホワイトバランス設定回路９へ与えられる。
【００３３】
ホワイトバランス設定回路９は光センサ１４の検出結果に基づいて、ホワイトバランス調整手段として機能するドライバ回路４が適切なホワイトバランスを設定することができるように各色別のゲインを設定するための情報を求め、その結果をシステムコントロール部１０へ出力する。
【００３４】
ところで、投射ランプ７が交換される場合、一般的には、投射ランプ７が収納されているランプ室のドアを開いてそれまで装着されていた投射ランプを取り出した後、新品の投射ランプを装着することになる。従ってたとえば、ランプ室のドアが開かれたことを検出するセンサ等を装備しておくことにより、投射ランプ７が交換されたことを検出することが可能である。そのような投射ランプ７の交換を検出するセンサ、即ちランプ交換検出手段としてのランプ交換センサ７Ｓの検出信号もシステムコントロール部１０に与えられる。なお、ランプ交換センサ７Ｓとしては他にたとえば、投射ランプ７そのものの有無を検出することによって投射ランプ７が交換されたことを検出するような構成、あるいはメインスイッチがオン状態であるにも拘わらず投射ランプ７からの投射光が検出されないことを検出するような構成等も勿論可能である。
【００３５】
また、投射デバイス８には通常はドライバ回路４から画像データが与えられるが、システムコントロール部１０の制御により、ホワイトバランス調整用パターン出力回路１３に予め記憶されているホワイトバランス調整用パターンの画像データを投射デバイス８へ出力することも可能に構成されている。このホワイトバランス調整用パターンの画像データがホワイトバランス調整用パターン出力回路１３から投射デバイス８に与えられると、投射デバイス８はホワイトバランス調整用の画像を形成する光学像の変調光を投射レンズ５から投射する。
【００３６】
以上のような構成の本発明のプロジェクタでは、ランプ交換センサ７Ｓが投射ランプ７が交換されたことを検出した場合、具体的にはその直後に投射ランプ７（いうまでもないが、交換された後の新しい投射ランプ）が点灯された場合に、システムコントロール部１０がシャッタ駆動回路１１に制御信号を与えてシャッタ１５を駆動してホームポジションから閉位置に移動させると共に、ホワイトバランス調整用パターン出力回路１３に制御信号を与えてホワイトバランス調整用パターンの画像データを投射デバイス８に与えさせる。これにより、投射レンズ５からは投射デバイス８が変調したホワイトバランス調整用パターンの画像を形成する変調光が投射される。しかし、投射レンズ５の出射側は既にシャッタ１５により閉鎖されているので、投射レンズ５からの出射光は光センサ１４によりその色調が検出される。
【００３７】
ところで、シャッタ１５はプロジェクタ１の外部から光センサ１４への入射光を遮断する（遮光する）目的で備えられている。従って、プロジェクタ１がいわゆるリアプロジェクタ、即ち筐体内に設置されていて筐体の一面に設けられているスクリーンの背面へ筐体内部から画像を投射する方式のプロジェクタである場合には、シャッタ１５はそれほどには重要ではない。従ってそのような方式のプロジェクタでは光センサ１４のみを備え、光センサ１４のみが投射レンズ５の外側の投射光を検出可能な位置と、投射光を遮らない位置とのいずれかに選択的に移動するように構成すればよい。また、シャッタ１５を備える必要がない場合には、光センサ１４を適宜の位置に固定しておき、投射レンズ５からの投射光を反射鏡を使用して光センサ１４へ入射させる構成を採ることも可能である。
【００３８】
次に、システムコントロール部１０により実行される投射ランプ７の交換時の本発明のプロジェクタの処理についてそのメインルーチンの処理手順を示す図２のフローチャートを参照して説明する。なお、以下のフローチャートに示す処理は、電源回路６のプラグ６Ｐが商用電源のコンセントに接続されていてシステムコントロール部１０への給電が行なわれている場合に、システムコントロール部１０のＲＯＭ１０ａに予め格納されている制御プログラムに従ってシステムコントロール部１０が実行する。
【００３９】
システムコントロール部１０は操作部１２のメインスイッチがオンされるまで待機しており（ステップＳ１１でＮＯ）、メインスイッチがオンされると（ステップＳ１１でＹＥＳ）、ランプ交換センサ７Ｓがオン状態になったか否かを調べる（ステップＳ１２）。ランプ交換センサ７Ｓがオン状態になっていない場合は（ステップＳ１２でＮＯ）、次にシステムコントロール部１０は操作部１２が操作されることによる操作入力の有無を調べる（ステップＳ１３）。操作入力が無い場合は（ステップＳ１３でＮＯ）、システムコントロール部１０はメインスイッチがオフされたか否かを調べる（ステップＳ２３）。ここでメインスイッチがオフされている場合には（ステップＳ２３でＹＥＳ）、システムコントロール部１０は前述したステップＳ１１へ処理を戻す。
【００４０】
ところで、上述のステップＳ１３において操作入力があったと判断された場合（ステップＳ１３でＹＥＳ）、システムコントロール部１０はその操作入力がホワイトバランスの調整を指示する操作入力であるか否かを調べる（ステップＳ１４）。ホワイトバランスの調整を指示する操作入力があった場合（ステップＳ１４でＹＥＳ）、システムコントロール部１０は後述するホワイトバランス調整処理のサブルーチンを実行する（ステップＳ２２）。また、ステップＳ１４において操作入力がホワイトバランスの調整を指示する操作入力以外の操作入力であった場合は（ステップＳ１４でＮＯ）、システムコントロール部１０は操作入力に応じた処理を実行し（ステップＳ１５）、その後に上述したステップＳ２３へ処理を進める。
【００４１】
一方、先のステップＳ１２においてランプ交換センサ７Ｓがオン状態であった場合は（ステップＳ１２でＹＥＳ）、システムコントロール部１０はメインスイッチがオンであるか否かを調べる（ステップＳ２１）。メインスイッチがオンでない場合は（ステップＳ２１でＮＯ）、システムコントロール部１０はメインスイッチがオンになるまで待機する（ステップＳ２１でＮＯ）。ランプ交換センサ１２がオンであることが判明した時点でメインスイッチもオンであった場合、または待機後にメインスイッチがオンになった場合（ステップＳ２１でＹＥＳ）、システムコントロール部１０はホワイトバランス調整処理のサブルーチンを実行する（ステップＳ２２）。なお、このホワイトバランス調整処理のサブルーチンからリターンした場合は、システムコントロール部１０は前述したステップＳ２３へ処理を進めてメインスイッチがオフされているか否かを判断する。
【００４２】
なお、上述したステップＳ２１においてメインスイッチがオンするまで待機する理由は、投射ランプ７の交換は通常はメインスイッチをオフした状態で行なわれるためである。即ち、ステップＳ１２でランプ交換センサ７Ｓがオン状態であることが判明した場合には一旦メインスイッチがオフされて投射ランプ７が交換されたことを意味しているので、ランプ交換センサ７Ｓのオン状態が検出された後にメインスイッチがオン状態になれば、投射ランプ７の交換が完了したと見なせる。
【００４３】
図３は上述のステップＳ２２のホワイトバランス調整処理のサブルーチンの処理手順を示すフローチャートである。なお、このフローチャートに示す処理は、電源回路６のプラグ６Ｐが商用電源のコンセントに接続されていてシステムコントロール部１０への給電が行なわれている場合に、システムコントロール部１０のＲＯＭ１０ａに予め格納されている制御プログラムに従ってシステムコントロール部１０が実行する。
【００４４】
操作部１２の操作による指示、またはランプ交換センサ７Ｓがオンしたことによるホワイトバランス調整処理のサブルーチンが開始されると、システムコントロール部１０はまずシャッタ１５を閉鎖する（ステップＳ３１）。具体的には、システムコントロール部１０はシャッタ駆動回路１１へ制御信号を与えることにより、シャッタ１５をホームポジション（図１に破線にて示す位置）から投射レンズ５の出射側を完全に閉鎖して遮光する位置（図１に実線にて示す位置）へ移動させる。これにより、投射レンズ５からの投射光は完全に遮断される。
【００４５】
次にシステムコントロール部１０はホワイトバランス調整用パターンを投射する（ステップＳ３２）。具体的には、システムコントロール部１０はホワイトバランス調整用パターン出力回路１３へ制御信号を与えることにより、ホワイトバランス調整用パターン出力回路１３が記憶している投射デバイスへホワイトバランス調整用パターンの画像データを投射デバイス８へ出力させる。従って、投射デバイス８は投射ランプ７が放射する光をホワイトバランス調整用パターンに変調して投射レンズ５から外部へ投射する。但し、上述したように投射レンズ５の外側はシャッタ１５により閉鎖されている。
【００４６】
次にシステムコントロール部１０はホワイトバランスの設定値を求める（ステップＳ３３）。具体的には、システムコントロール部１０は、上述のようにして投射レンズ５から投射されているホワイトバランス調整用テストパターンを形成する投射光をシャッタ１５の内側（投射レンズ５側）に位置する光センサ１４で各色（Ｒ，Ｇ，Ｂ）別に光量を検出させ、その検出結果をホワイトバランス設定回路９に与える。ホワイトバランス設定回路９は光センサ１４の検出結果に基づいて、現在の投射ランプ７により投射レンズ５から投射される投射光のホワイトバランスが適切になるような各色別のゲインの補正値を求める。具体的には、ホワイトバランス設定回路９は、光センサ１４が検出した投射光の各色成分別の光量に基づいて適切なホワイトバランスに戻すためのドライバ回路４での補正値を求める。
【００４７】
次にシステムコントロール部１０はホワイトバランスの補正値をドライバ回路４に設定する（ステップＳ３４）。具体的には、システムコントロール部１０は上述したようにしてホワイトバランス設定回路９が求めた補正値を入力してドライバ回路４に与える。これにより、ドライバ回路４での各色の補正値が設定され、信号処理回路３からドライバ回路４へ与えられる画像データは以後はこの補正値に従って補正された上で投射デバイス８に与えられることになる。
【００４８】
最後にシステムコントロール部１０はシャッタ１５を開放し（ステップＳ３５）、図２に示すメインルーチンへリターンする。なお、シャッタ１５の開放は、システムコントロール部１０からシャッタ駆動回路１１へ制御信号を与えることにより、シャッタ駆動回路１１がシャッタ１５を前述したホームポジションへ移動させることにより実行される。
【００４９】
なお、図１に示した回路構成においてはホワイトバランス調整用パターン出力回路１３が記憶しているホワイトバランス調整用パターンのデータは直接投射デバイス８へ与えられるようにしてあるが、ドライバ回路４を介して投射デバイス８に与えられるようにしてもよい。この場合には、ドライバ回路４でのホワイトバランスの調整を行ないつつホワイトバランス調整用パターンを投射させれば、光センサ１４での検出結果をドライバ回路４へ直ちにフィードバックすることが可能になるので、より厳密な調整が可能になる。
【００５０】
また上述の実施の形態では、投射レンズの外側を遮光する遮光手段としてスライド方式のシャッタを使用しているが、ヒンジ支持方式のキャップ状の遮光手段を使用することも勿論可能であり、またキャップ状の遮光手段をユーザが人手で必要の都度、投射レンズの投射側先端部にかぶせて固定するようにしてもよい。
【００５１】
更に上述の実施の形態では、電源回路が商用電源に接続されている場合にはメインスイッチがオフ状態であってもシステムコントロール部への給電が行なわれて動作可能である構成としている。しかし、システムコントロール部がバックアップ電源（たとえばバッテリ等）により、電源回路が商用電源に接続されていない場合にも動作可能な、少なくとも投射ランプが交換されたことを検出可能な構成としてもよい。
【００５２】
以上のように本発明に係るプロジェクタによれば、投射ランプを交換した場合に、交換後の新しい投射ランプに関してホワイトバランスの調整が自動的に行なわれるので、従来のような専門家による調整は不要になる。
【００５３】
また本発明に係るプロジェクタによれば、ユーザが望む任意の時点で投射ランプのホワイトバランスの調整を自動的に行なうことが出来るので、投射ランプの経時的な特性の変化、たとえば経時的な照度の漸減等に応じて随時ホワイトバランスを調整することが可能になる。
【００５４】
更に本発明に係るプロジェクタによれば、投射レンズを外部に対して遮光するように構成されているので、正確な調整が可能になる。
【図面の簡単な説明】
【００５５】
【図１】本発明に係るプロジェクタの一実施の形態の内部構成例を示すブロック図である。
【図２】本発明に係るプロジェクタの投射ランプの交換時の処理手順を示すフローチャートである。
【図３】本発明に係るプロジェクタの投射ランプの交換時の処理手順を示すフローチャートである。
【符号の説明】
【００５６】
１  プロジェクタ
４  ドライバ回路
５  投射レンズ
７  投射ランプ
７Ｓ  ランプ交換センサ
８  投射デバイス
９  ホワイトバランス設定回路
１０  システムコントロール部
１２  操作部
１３  ホワイトバランス調整用パターン出力回路
１４  光センサ
１５  シャッタ
【図１】
2006140839.tif 000003
【図２】
2006140839.tif 000004
【図３】
2006140839.tif 000005